(57)【要約】【課題】日記情報などの投稿情報の閲覧時に提供される情報量及びその種類を増やすことができ、投稿情報の閲覧頻度を高めることができる投稿情報管理装置を提供する。【解決手段】投稿情報管理装置１では、日記情報が記入端末４で作成され、日記情報サーバ２内に記憶される。閲覧者が閲覧を希望する日記情報の日付が閲覧端末５で選択されると、外部情報サーバ３は、日付に応じてニュース情報を検索し、日記情報サーバ２に送信する。それに伴い、日記情報とニュース情報が日記情報サーバ２から閲覧端末５に送信され、これらの情報が閲覧者に提供される。【選択図】図１０
2020024595.tif 000002
【特許請求の範囲】
【請求項１】
投稿者による作成操作に伴って投稿情報を作成する投稿情報作成部と、
時刻又は期間が前記投稿情報に紐付けされた情報を第１情報として記憶する第１情報記憶部と、
当該第１情報記憶部に記憶された前記第１情報以外の、時刻又は期間が紐付けされた投稿情報を第２情報として記憶する第２情報記憶部と、
前記第１情報記憶部に記憶された前記第１情報から、閲覧者による閲覧操作に応じた第１情報を選択する第１情報選択部と、
当該第１情報選択部によって選択された前記第１情報の前記時刻又は前記期間に応じて、前記第２情報記憶部に記憶された前記第２情報を検索することにより、前記第２情報を取得する第２情報取得部と、
当該第２情報取得部によって取得された前記第２情報と、前記第１情報選択部によって選択された前記第１情報とを、前記閲覧者に提供する情報提供部と、
を備えることを特徴とする投稿情報管理装置。
【請求項２】
請求項１又は２に記載の投稿情報管理装置において、
前記第１情報記憶部は、前記第１情報を閲覧権限がさらに紐付けされた情報として記憶し、
前記情報提供部は、前記閲覧者が前記第１情報の前記閲覧権限を有しているときに、前記第１情報及び前記第２情報を前記閲覧者に提供することを特徴とする投稿情報管理装置。
【請求項３】
請求項１又は２に記載の投稿情報管理装置において、
前記第１情報記憶部は、前記第１情報を、前記投稿情報に関連するタグ情報がさらに紐付けされた情報として記憶し、
前記第２情報取得部は、前記第１情報の前記時刻又は前記期間に加えて、前記タグ情報にさらに応じて、前記第２情報を取得することを特徴とする投稿情報管理装置。
【請求項４】
請求項１ないし３のいずれかに記載の投稿情報管理装置において、
前記第２情報取得部は、前記第１情報選択部によって選択された前記第１情報の前記時刻又は前記期間がより古いほど、前記第２情報記憶部に記憶された前記第２情報のうちの、前記第１情報選択部によって選択された前記第１情報の前記時刻又は前記期間を基準とするより長い期間の前記第２情報を検索することにより、前記第２情報を取得することを特徴とする投稿情報管理装置。
【請求項５】
請求項１ないし３のいずれかに記載の投稿情報管理装置において、
前記第２情報取得部は、前記第２情報を、所定のネットワーク情報システム上で、前記時刻以降又は前記期間以降においてアクセス数又はリンク数が最も多い投稿情報として取得することを特徴とする投稿情報管理装置。
【請求項６】
請求項１ないし５のいずれかに記載の投稿情報管理装置において、
前記第１情報は、日記情報であり、
前記第２情報は、ニュース情報であることを特徴とする投稿情報管理装置。
【請求項７】
請求項１ないし３のいずれかに記載の投稿情報管理装置において、
前記第２情報は、複数のニュース情報であり、
前記第２情報取得部は、前記第１情報が予想に関する第１情報であるかどうかを判定し、当該第１情報が予想に関する第１情報であると判定した場合、前記第１情報選択部によって選択された前記第１情報の前記時刻又は前記期間以降の所定期間内の前記複数のニュース情報を検索することにより前記ニュース情報を取得することを特徴とする投稿情報管理装置。
【請求項８】
請求項１ないし３のいずれかに記載の投稿情報管理装置において、
前記第２情報は、複数のニュース情報であり、
当該複数のニュース情報のそれぞれにはニュースタグ情報が紐付けられており、
前記第２情報取得部は、前記第１情報選択部によって選択された前記第１情報の前記時刻又は前記期間に応じて前記複数のニュース情報を検索した場合において、前記ニュースタグ情報毎に当該ニュースタグ情報に紐付けられた前記ニュース情報の数を認識し、当該ニュースタグ情報に紐付けられた当該ニュース情報の数が最多の当該ニュースタグ情報の当該ニュース情報を少なくとも１つ取得することを特徴とする投稿情報管理装置。
【請求項９】
請求項８に記載の投稿情報管理装置において、
前記第２情報取得部は、前記第１情報選択部によって選択された前記第１情報の前記時刻又は前記期間を基準とする所定期間内の前記複数のニュース情報を検索することを特徴とする投稿情報管理装置。
【請求項１０】
請求項１ないし４のいずれかに記載の投稿情報管理装置において、
前記第２情報は、楽曲情報であり、
前記情報提供部は、当該楽曲情報と前記第１情報を前記閲覧者に提供するときに、当該楽曲情報に対応する楽曲の再生音、動画及び静止画の少なくとも一つを提供することを特徴とする投稿情報管理装置。
【発明の詳細な説明】
【技術分野】
【０００１】
本発明は、日記などの投稿情報を閲覧する際、それ以外の情報も同時に閲覧できる投稿情報管理装置に関する。
【背景技術】
【０００２】
日記は個人が日々の出来事を綴るものである関係上、自分自身や他人の日記を読み返したときに、日記を綴った人物の過去の考え方や物の見方を把握することができ、自分自身とも向き合うことができる。それにより、さらなる精神の成長につながる効果が期待できるものの、従来の日記の場合、これを読み返すことの動機付けが考慮されておらず、その結果、日記を読み返す頻度が低いという問題がある。
【０００３】
これに対して、日記を閲覧することの動機付けとして、閲覧時の利便性を考慮したものが知られている（特許文献１）。この日記の場合、個人的な出来事を１月ごとに記入するための１２個の記入欄と、社会的な出来事を記入するための１個の記入欄とが１ページ中に設けられている。それにより、この日記は、任意の１年に発生した個人的な出来事及び社会的な出来事を、ページをめくることなくユーザが閲覧できるという機能を備えている。
【先行技術文献】
【特許文献】
【０００４】
【特許文献１】特開２０１８−１６０６４号公報
【発明の概要】
【発明が解決しようとする課題】
【０００５】
上記特許文献１の日記によれば、社会的な出来事が日記のユーザによって記入される関係上、ユーザがその時点で高い関心を持っている代表的な出来事しか記入されなくなる。これに加えて、１年分の社会的な出来事を適切に整理しながら記入するのは困難であるので、記入事項が限定されてしまう。その結果、ユーザなどが日記を閲覧したときに、それと同時に閲覧できる情報が限定されてしまうことで、日記の閲覧意欲が低下し、閲覧頻度が低下してしまうという問題がある。
【０００６】
本発明は、上記課題を解決するためになされたもので、日記などの投稿情報の閲覧時に提供される情報量及びその種類を増やすことができ、投稿情報の閲覧頻度を高めることができる投稿情報管理装置を提供することを目的とする。
【課題を解決するための手段】
【０００７】
上記目的を達成するために、本発明の投稿情報管理装置１は、投稿者による作成操作に伴って投稿情報を作成する投稿情報作成部（記入端末４）と、時刻又は期間が投稿情報に紐付けされた情報を第１情報として記憶する第１情報記憶部（日記情報サーバ２）と、第１情報記憶部に記憶された第１情報のいずれとも異なる、時刻又は期間が紐付けされた情報を第２情報として記憶する第２情報記憶部（外部情報サーバ３）と、第１情報記憶部に記憶された第１情報から、閲覧者による閲覧操作に応じた第１情報を選択する第１情報選択部（閲覧端末５）と、第１情報選択部によって選択された第１情報の時刻又は期間に応じて、第２情報記憶部に記憶された第２情報を検索することにより、第２情報を取得する第２情報取得部（外部情報サーバ３）と、第２情報取得部によって取得された第２情報と、第１情報選択部によって選択された第１情報とを、閲覧者に提供する情報提供部（閲覧端末５）と、を備えることを特徴とする。
【０００８】
この投稿情報管理装置によれば、第１情報記憶部に記憶された第１情報から、閲覧者の閲覧操作に応じた第１情報が選択される。さらに、第１情報選択部によって選択された第１情報の時刻又は期間に応じて、第２情報記憶部に記憶された第２情報を検索することにより、第２情報が取得され、取得された第２情報と、選択された第１情報とが閲覧者に提供される。この場合、第２情報は、第１情報記憶部に記憶された第１情報以外の、時刻又は期間が紐付けされた情報として記憶されており、第１情報は、時刻又は期間が投稿情報に紐付けされた情報として記憶されている。それにより、閲覧者は、第１情報の選択操作を実行するだけで、第１情報に加えて、第１情報の時刻又は期間に応じた、第１情報記憶部に記憶された第１情報とは異なる第２情報を同時に閲覧することができる。したがって、この第２情報を適切に設定することによって、第１情報の閲覧時に、第１情報と同時に提供される情報量及びその種類を増やすことができる。それにより、閲覧者における第１情報の閲覧意欲を高めることができ、第１情報の閲覧頻度を高めることができる。
【０００９】
本発明において、第１情報記憶部（日記情報サーバ２）は、第１情報を閲覧権限がさらに紐付けされた情報として記憶し、情報提供部（閲覧端末５）は、閲覧者が第１情報の閲覧権限を有しているときに、第１情報及び第２情報を閲覧者に提供することが好ましい。
【００１０】
この投稿情報管理装置によれば、第１情報が閲覧権限をさらに紐付けした情報として記憶され、閲覧者が第１情報の閲覧権限を有しているときに、第１情報及び第２情報が閲覧者に提供されるので、第１情報が無制限に公開状態になるのを回避でき、その秘匿性を確保することができる。
【００１１】
本発明において、第１情報記憶部（日記情報サーバ２）は、第１情報を、投稿情報に関連するタグ情報がさらに紐付けされた情報として記憶し、第２情報取得部（外部情報サーバ３）は、第１情報の時刻又は期間に加えて、タグ情報にさらに応じて、第２情報を取得することが好ましい。
【００１２】
この投稿情報管理装置によれば、第１情報が、投稿情報に関連するタグ情報がさらに紐付けされた情報として記憶され、第１情報の時刻又は期間に加えて、タグ情報にさらに応じて、第２情報が取得されるので、投稿者が作成した投稿情報の内容に対してより関連性の高い第２情報を、閲覧者に提供することができる。
【００１３】
本発明において、第２情報取得部（外部情報サーバ３）は、第１情報選択部によって選択された第１情報の時刻又は期間がより古いほど、第２情報記憶部（外部情報サーバ３）に記憶された第２情報のうちの、第１情報選択部によって選択された第１情報の時刻又は期間を基準とするより長い期間の第２情報を検索することにより、第２情報を取得することが好ましい。
【００１４】
この投稿情報管理装置によれば、第１情報選択部によって選択された第１情報の時刻又は期間がより古いほど、第２情報記憶部に記憶された第２情報のうちの、第１情報選択部によって選択された第１情報の時刻又は期間を基準とするより長い期間の第２情報を検索することにより、第２情報が取得されるので、第１情報の時刻又は期間を基準として、その当時の第２情報をより広範囲に取得することができる。
【００１５】
本発明において、第２情報取得部（外部情報サーバ３）は、第２情報を、所定のネットワーク情報システム上で、時刻以降又は期間以降においてアクセス数又はリンク数が最も多い情報として取得することを特徴とする。
【００１６】
この投稿情報管理装置によれば、第２情報を、所定のネットワーク情報システム上で、時刻以降又は期間以降においてアクセス数又はリンク数が最も多い情報として取得されるので、投稿者によって投稿情報が作成された時期に関連して、アクセス数が最も多い情報を同時に閲覧することができ、閲覧時の興趣を高めることができる。
【００１７】
本発明において、前記第１情報は、日記情報であり、第２情報は、ニュース情報であることが好ましい。
【００１８】
この投稿情報管理装置によれば、閲覧者は、日記情報としての第１情報の選択操作を実行するだけで、第１情報に加えて、第１情報の時刻又は期間に応じたニュース情報を同時に閲覧することができる。それにより、閲覧者は、日記情報（第１情報）を閲覧しながら、投稿者によって投稿情報が作成された時期の社会情勢や風俗などを同時に閲覧することができ、閲覧時の興趣を高めることができる。
【００１９】
本発明において、第２情報は、複数のニュース情報であり、第２情報取得部（外部情報サーバ３）は、第１情報が予想に関する第１情報であるかどうかを判定し、第１情報が予想に関する第１情報であると判定した場合、第１情報選択部によって選択された第１情報の時刻又は期間以降の所定期間内の複数のニュース情報を検索することによりニュース情報を取得することが好ましい。
【００２０】
この投稿情報管理装置によれば、第１情報が予想に関する第１情報であるかどうかが判定され、第１情報が予想に関する第１情報であると判定された場合、第１情報選択部によって選択された第１情報の時刻又は期間以降の所定期間内の複数のニュース情報を検索することによりニュース情報が取得される。これにより、閲覧者は、投稿者によって投稿情報が作成されたときの投稿者の社会情勢の予想などが、正しかったか否かを判定することができる。その結果、第１情報の閲覧時における興趣を高めることができ、閲覧者の閲覧意欲をさらに高めることができる。
【００２１】
本発明において、第２情報は、複数のニュース情報であり、複数のニュース情報のそれぞれにはニュースタグ情報が紐付けられており、第２情報取得部（外部情報サーバ３）は、第１情報選択部によって選択された第１情報の時刻又は期間に応じて複数のニュース情報を検索した場合において、ニュースタグ情報毎にニュースタグ情報に紐付けられたニュース情報の数を認識し、ニュースタグ情報に紐付けられたニュース情報の数が最多のニュースタグ情報のニュース情報を少なくとも１つ取得することが好ましい。
【００２２】
この投稿情報管理装置によれば、第１情報選択部によって選択された第１情報の時刻又は期間に応じて複数のニュース情報を検索した場合において、ニュースタグ情報毎にニュースタグ情報に紐付けられたニュース情報の数が認識され、ニュースタグ情報に紐付けられたニュース情報の数が最多のニュースタグ情報のニュース情報が少なくとも１つ取得される。それにより、閲覧者は、投稿者によって投稿情報が作成された時期に社会的な関心が高かったニュース情報を少なくとも閲覧することができ、当時の社会情勢や風俗などを把握したり、思い出したりすることができる。
【００２３】
本発明において、第２情報取得部（外部情報サーバ３）は、第１情報選択部によって選択された第１情報の時刻又は期間を基準とする所定期間内の複数のニュース情報を検索することが好ましい。
【００２４】
この投稿情報管理装置によれば、第１情報選択部によって選択された第１情報の時刻又は期間を基準とする所定期間内の複数のニュース情報が検索されるので、閲覧者は、投稿者によって投稿情報が作成された時刻又は期間を基準とする所定期間内における社会的な関心が最も高かったニュース情報をより確実に閲覧することができ、当時の社会情勢や風俗などをより確実に把握したり、思い出したりすることができる。
【００２５】
本発明において、第２情報は、楽曲情報であり、情報提供部（閲覧端末５）は、楽曲情報と第１情報を閲覧者に提供するときに、楽曲情報に対応する楽曲の再生音、動画及び静止画の少なくとも一つを提供することが好ましい。
【００２６】
この投稿情報管理装置によれば、第１情報の閲覧時、これと楽曲情報に対応する楽曲の再生音、動画及び静止画の少なくとも一つが閲覧者に提供されるので、閲覧時の情報の多様性及び興趣を高めることができる。
【図面の簡単な説明】
【００２７】
【図１】本発明の一実施形態に係る投稿情報管理装置の構成を示す図である。
【図２】投稿情報作成時の記入端末と投稿情報サーバの間における通信動作の一例を示す図である。
【図３】記入端末に表示されたログイン画面を示す図である。
【図４】記入端末に表示された操作画面を示す図である。
【図５】記入端末に表示された作成画面を示す図である。
【図６】投稿情報作成時の閲覧端末、投稿情報サーバ及び外部情報サーバの間における通信動作などの一例を示す図である。
【図７】閲覧端末に表示された選択画面を示す図である。
【図８】指定日付とニュース情報の検索範囲との関係を示す図である。
【図９】指定日付に対するニュース情報の検索結果を示す図である。
【図１０】閲覧端末に表示された閲覧画面を示す図である。
【図１１】投稿情報の作成画面の他の例を示す図である。
【発明を実施するための形態】
【００２８】
以下、図面を参照しながら、本発明の一実施形態に係る投稿情報管理装置について説明する。本実施形態の投稿情報管理装置は、投稿情報としての日記情報を管理しながらこれを多数のユーザに提供するサービス（以下「日記情報サービス」という）を実行するものである。
【００２９】
この日記情報サービスでは、後述するように、ユーザによって作成された日記情報が記憶され、記憶された日記情報が、その閲覧を希望するユーザに対して、日記情報の日付に関連するニュース情報とともに提供される。
【００３０】
なお、以下の説明では、日記情報を作成するユーザを「投稿者」といい、日記情報を閲覧するユーザを「閲覧者」という。したがって、投稿者及び閲覧者が同一ユーザの場合も存在する。また、以下の説明では、日記情報の言語として、日本語が使用される場合の例について説明する。
【００３１】
図１に示すように、本実施形態の投稿情報管理装置１は、日記情報サーバ２、外部情報サーバ３、多数の記入端末４（１つのみ図示）及び多数の閲覧端末５（１つのみ図示）などを備えており、これらの要素２〜５は、無線通信網６を介してデータ通信可能に接続されている。
【００３２】
この投稿情報管理装置１では、多数のユーザが記入端末４又は閲覧端末５を介して、日記情報を利用可能に設定されており、これらのユーザ情報（ＩＤ、パスワード及び閲覧権限など）が日記情報サーバ２内に登録されている。
【００３３】
日記情報サーバ２は、プロセッサ、ストレージ、Ｉ／Ｏインターフェース及び無線通信回路などを備えている（いずれも図示せず）。また、日記情報サーバ２は、外部情報サーバ３、各記入端末４及び各閲覧端末５との間で、無線通信網６を介してデータ通信可能に構成されている。この日記情報サーバ２では、後述するように、各種の信号が記入端末４又は閲覧端末５から入力されたときに、各種の信号に応じて、日記情報記憶処理などの各種の制御処理が実行される。なお、本実施形態では、日記情報サーバ２が第１情報記憶部に相当し、日記情報が第１情報に相当する。
【００３４】
また、外部情報サーバ３も、日記情報サーバ２と同様に、プロセッサ、ストレージ、Ｉ／Ｏインターフェース及び無線通信回路などを備えている（いずれも図示せず）。外部情報サーバ３は、日記情報サーバ２との間で無線通信網６を介して、データ通信可能に構成されているとともに、インターネット網を介して、日記情報サーバ２以外の多数の外部サーバとの間でデータ通信可能に構成されている。この場合、外部サーバとしては、新聞社などの情報発行者によって管理されるサーバでもよく、検索サイトのサーバなどでもよい。これらの外部サーバは、例えば、予め記憶されたＩＰアドレス又はＵＲＬなどによって特定されうる。
【００３５】
この外部情報サーバ３は、後述するように、多数の外部のサーバから１日分のニュース情報を受信し、これらのニュース情報をニュース情報タグによりランキング付けして記憶するように構成されている。なお、本実施形態では、外部情報サーバ３が第２情報記憶部及び第２情報取得部に相当する。
【００３６】
この場合、ニュース情報には、そのニュース情報のトピック、本文、画像、動画、音声、作成者によって付された作成者タグ及びそのニュース情報の読者によって付された読者タグのうち少なくとも１つが含まれうる。ニュース情報には、さらに読者によって付された評価、コメントが含まれていてもよい。読者は、ＰＣなどの端末を使用して、ニュース情報を閲覧し、ＰＣなどの端末を介して読者タグ、評価、コメントを入力する。当該端末は、これらの入力された読者タグ、評価、コメントを、無線通信網６等を介してニュース情報を特定できる情報（例えばニュースＩＤ）とともに外部情報サーバ３又は当該ニュース情報を提供しているサーバに送信する。当該読者タグ、評価、コメント及びニュース情報を特定できる情報を受信したサーバは、これらを関連付けて記憶する。
【００３７】
一方、記入端末４は、ノートパソコンタイプのものであり、入力インターフェース及び出力インターフェース（図示せず）を備えている。この入力インターフェースは、キーボード、タッチパッド及びマウスなどで構成されている。また、出力インターフェースは、無線回路などで構成されており、それにより、この記入端末４は、出力インターフェース及び無線通信網６を介して、日記情報サーバ２との間でデータ通信可能に構成されている。
【００３８】
また、この記入端末４では、後述するように、投稿者が入力インターフェースを操作することによって日記情報が作成されるとともに、作成された日記情報は、出力インターフェースを介して、日記情報信号として日記情報サーバ２に送信される。なお、本実施形態では、記入端末４が投稿情報作成部に相当する。
【００３９】
一方、閲覧端末５は、スマートフォンタイプのものであり、入力インターフェース及び出力インターフェース（図示せず）を備えている。この入力インターフェースは、タッチ式ディスプレイ、タッチセンサ及び機械式ボタンなどで構成されている。また、出力インターフェースは、無線回路などで構成されており、それにより、この閲覧端末５は、出力インターフェース及び無線通信網６を介して、日記情報サーバ２との間でデータ通信可能に構成されている。
【００４０】
また、この閲覧端末５では、後述するように、閲覧者が入力インターフェースを操作することによって、日記情報サーバ２内の日記情報がニュース情報とともに閲覧される。なお、本実施形態では、閲覧端末５が第１情報選択部及び情報提供部に相当する。
【００４１】
次に、図２を参照しながら、投稿者が記入端末４を用いて日記情報を日記情報サーバ２に投稿するときの通信動作について説明する。なお、以下の説明では、記入端末４において、ウェブブラウザが起動され、日記情報の作成／閲覧用のウェブページ画面が表示されている状態を前提として説明する。これに代えて又は加えて、日記情報作成／閲覧用のアプリケーションが記入端末４にインストールされ、当該アプリケーションによって日記情報の作成／閲覧用の画面が表示されるように構成してもよい。
【００４２】
同図に示すように、まず、記入端末４において、入力インターフェースを介してウェブページ画面内の開始アイコン（図示せず）が操作され、作成開始操作が実行されると（図２／ＳＴＥＰ１）、作成開始信号が記入端末４から日記情報サーバ２に送信される（図２／ＳＴＥＰ２）。この作成開始信号は、投稿者による日記情報の作成開始を示すものである。
【００４３】
この作成開始信号が日記情報サーバ２で受信されると、日記情報サーバ２において、送信判定処理が実行される（図２／ＳＴＥＰ３）。この送信判定処理では、ＬＯＧＩＮ・ＨＴＭＬのデータを記入端末４に送信する必要があるか否かが判定される。この処理で、ＬＯＧＩＮ・ＨＴＭＬのデータを送信する必要があると判定されると、それをデータとして含むＬＯＧＩＮ・ＨＴＭＬ信号が記入端末４に送信される（図２／ＳＴＥＰ４）。
【００４４】
このＬＯＧＩＮ・ＨＴＭＬ信号が記入端末４で受信されると、記入端末４において、ログイン操作処理が実行される（図２／ＳＴＥＰ５）。このログイン操作処理では、図３に示すログイン画面が記入端末４のディスプレイ４０に表示される。同図に示すように、このログイン画面には、ユーザＩＤ欄４１、パスワード欄４２、ログイン操作アイコン４３及び終了操作アイコン４４が表示される。
【００４５】
この場合、ユーザＩＤ欄４１及びパスワード欄４２は、入力インターフェースの操作によって投稿者のユーザＩＤ及びパスワードをそれぞれ入力するための欄であり、ログイン操作アイコン４３は、ログイン操作を実行するときに入力インターフェースの操作によって選択されるものである。また、終了操作アイコン４４は、ログイン画面を閉じるときに入力インターフェースの操作によって選択されるものである。
【００４６】
ログイン操作処理において、投稿者の入力インターフェースの操作によって、投稿者のユーザＩＤ及びパスワードがそれぞれ入力ユーザＩＤ欄４１及びパスワード欄４２に入力された後、ログイン操作アイコン４３が選択されると、ユーザＩＤ及びパスワードをデータとして含むＬＯＧＩＮ・ＤＡＴＡ信号が記入端末４から日記情報サーバ２に送信される（図２／ＳＴＥＰ６）。
【００４７】
このＬＯＧＩＮ・ＤＡＴＡ信号が日記情報サーバ２で受信されると、日記情報サーバ２において、ログイン判定処理が実行される（図２／ＳＴＥＰ７）。ログイン判定処理では、ＬＯＧＩＮ・ＤＡＴＡ信号に含まれるユーザＩＤ及びパスワードの組み合わせが、日記情報サーバ２内に登録されているユーザＩＤ及びパスワードの組み合わせのいずれかと一致したか否かが判定される。そして、両者が一致したときには、画面ＤＡＴＡ信号が日記情報サーバ２から記入端末４に送信される（図２／ＳＴＥＰ８）。
【００４８】
この画面ＤＡＴＡ信号が記入端末４で受信されると、記入端末４において、日記作成処理が実行される（図２／ＳＴＥＰ９）。この日記作成処理は、日記情報を作成するためのものであり、具体的には、以下に述べるように実行される。
【００４９】
まず、画面ＤＡＴＡ信号が受信されたときに、図４に示す操作画面が記入端末４のディスプレイ４０に表示される。同図に示すように、この操作画面には、日付入力欄４５、作成操作アイコン４６、閲覧操作アイコン４７及び終了操作アイコン４４が表示される。この日付入力欄４５は、入力インターフェースの操作により、投稿者が日記情報の作成日付を入力したり、後述するように閲覧者が閲覧したい日記情報の日付を入力したりするための欄である。この日付入力欄４５には、処理時点の日付が入力されていてもよい。
【００５０】
また、作成操作アイコン４６は、投稿者の入力インターフェースの操作により、投稿者が日記情報の作成操作を開始するときに選択されるものであり、閲覧操作アイコン４７は、後述するように、閲覧者の入力インターフェースの操作により、閲覧者が日記情報サーバ２内の日記情報の閲覧操作を開始するときに選択されるものである。さらに、終了操作アイコン４４は、投稿者／閲覧者の入力インターフェースの操作により、操作画面を閉じるときに選択されるものである。
【００５１】
以上の操作画面が表示されている状態で、投稿者の入力インターフェース操作により、作成操作アイコン４６が選択されると、それに続けて、図５に示す作成画面が表示される。同図に示すように、この作成画面には、日付表示欄４８、文章記入欄４９及び終了操作アイコン４４が表示される。
【００５２】
この日付表示欄４８には、操作画面で記入された日付が表示されるとともに、この日付は、投稿者の入力インターフェースの操作により修正可能に構成されている。また、文章記入欄４９は、投稿者の入力インターフェース操作により、投稿者の日記文が入力される欄である。
【００５３】
以上の作成画面が表示されている状態で、投稿者の入力インターフェース操作により、日記文が文章記入欄４９に入力された後、終了操作アイコン４４が選択されると、それに続けて、日記情報信号が記入端末４から日記情報サーバ２に送信される（図２／ＳＴＥＰ１０）。この日記情報信号は、日記文のデータ情報及び投稿者のユーザＩＤ情報に加えて、日付をタグ情報として含む信号である。
【００５４】
この日記情報信号が日記情報サーバ２で受信されると、日記情報サーバ２において、日記情報記憶処理が実行される（図２／ＳＴＥＰ１１）。この日記情報記憶処理では、日記情報信号に含まれる日記情報（日記文のデータ及び日付タグ情報）が、ユーザＩＤに対応する記憶領域に記憶される。その際、日記情報は、この日記情報の投稿者以外のユーザに対して、閲覧権限が設定されたデータとして記憶される。この閲覧権限は、日記情報の投稿者によって予め設定される。この閲覧権限は、例えば、閲覧可能又は不可能なユーザのユーザＩＤを個別に設定するものであってもよいし、投稿者と閲覧者との関係性によって閲覧可能又は不可能なユーザを定めるものであってもよい。
【００５５】
次に、図６を参照しながら、閲覧者が閲覧端末５を用いて日記情報サーバ２内の日記情報を閲覧するときの通信動作などについて説明する。なお、以下の説明では、閲覧端末５において、ウェブブラウザが起動され、日記情報の作成／閲覧用のウェブページ画面が表示されている状態を前提として説明する。
【００５６】
同図に示すように、まず、閲覧端末５と日記情報サーバ２との間でログイン制御処理が実行される（図６／ＳＴＥＰ２１）。このログイン制御処理は、前述した図２のＳＴＥＰ１〜８の処理と同様に実行されるので、その説明は省略する。
【００５７】
このログイン制御処理の実行により、画面ＤＡＴＡ信号が閲覧端末５で受信されたときに、閲覧端末５において、日付指定処理が実行される（図６／ＳＴＥＰ２２）。この日付指定処理では、まず、前述した図４の操作画面が閲覧端末５のディスプレイに表示される。そして、閲覧者による入力インターフェースの操作により、閲覧を希望する日記情報の日付が日付入力欄４５に入力された後、閲覧操作アイコン４７が選択されると、日付指定信号が閲覧端末５から日記情報サーバ２に送信される（図６／ＳＴＥＰ２３）。
【００５８】
この日付指定信号は、閲覧者のユーザＩＤ及び閲覧者が閲覧を希望する日記情報の日付（以下「指定日付」という）をデータとして含むように構成される。
【００５９】
この日付指定信号が日記情報サーバ２で受信されると、日記情報サーバ２において、日記情報検索処理が実行される（図６／ＳＴＥＰ２４）。この日記情報検索処理は、閲覧者が閲覧権限を有している日記情報を検索するものであり、具体的には、以下に述べるように実行される。
【００６０】
すなわち、日付指定信号に含まれるユーザＩＤ及び指定日付に基づき、指定日付と同じ日付の日記情報のうち、閲覧者が閲覧権限を有しているものが、日記情報サーバ２の記憶領域内で検索される。次いで、以上のように検索した日記情報の検索結果をデータとして含む日記情報信号が、日記情報サーバ２から閲覧端末５に送信される（図６／ＳＴＥＰ２５）。
【００６１】
この日記情報信号が閲覧端末５で受信されると、閲覧端末５において、日記選択処理が実行される（図６／ＳＴＥＰ２６）。この日記選択処理は、閲覧者が閲覧する日記情報を選択するためのものであり、具体的には、以下に述べるように実行される。
【００６２】
この日付選択処理では、まず、図７に示す選択画面が閲覧端末５のディスプレイ５０に表示される。同図に示すように、この選択画面には、日付表示欄５１、日記情報アイコン５２及び選択終了アイコン５３が表示される。
【００６３】
この日付表示欄５１には、前述した指定日付が表示される。また、日記情報アイコン５２は、閲覧者が閲覧権限を有している日記情報を表示するものであり、同図では８つの日記情報アイコン５２が表示されている。この日記情報アイコン５２は、閲覧者が日記情報を選択するときに、閲覧者の入力インターフェースの操作によって選択可能に構成されている。
【００６４】
なお、閲覧者が閲覧権限を有している日記情報が日記情報サーバ２内に存在しない場合には、日記情報アイコン５２がディスプレイ５０内に表示されないようになっている。さらに、選択終了アイコン５３は、閲覧者が日記情報の選択を終了するときに、閲覧者の入力インターフェースの操作によって選択されるものである。
【００６５】
次いで、上記の選択画面が表示されている状態で、閲覧者の入力インターフェースの操作によって、日記情報アイコン５２のいずれかが選択された後、選択終了アイコン５３が選択されると、日記選択信号が閲覧端末５から日記情報サーバ２に送信される（図６／ＳＴＥＰ２７）。
【００６６】
この日記選択信号が日記情報サーバ２で受信されると、日記情報サーバ２で、情報要求処理が実行される（図６／ＳＴＥＰ２８）。この情報要求処理では、日記選択信号を受信したときに、閲覧者によって選択された日記情報のタグ情報の指定日付が読み込まれる。  
【００６７】
そして、この指定日付のニュース情報を外部情報サーバ３に要求するために、情報要求信号が日記情報サーバ２から外部情報サーバ３に送信される（図６／ＳＴＥＰ２９）。この情報要求信号は、閲覧者によって選択された日記情報の指定日付を含む信号として設定される。
【００６８】
この情報要求信号が外部情報サーバ３で受信されると、外部情報サーバ３において、情報検索処理が実行される（図６／ＳＴＥＰ３０）。この情報検索処理は、外部情報サーバ３内に記憶されているニュース情報を検索するものであり、具体的には、以下に述べるように実行される。
【００６９】
まず、情報要求信号から指定日付を読み込み、この指定日付に基づき、ニュース情報の検索範囲が設定される。この検索範囲は、ニュース情報の検索期間であり、具体的には、図８に示すように設定される。同図に示すように、検索範囲は、指定日付が古いほど、より広くなるように設定される。例えば、処理時点が２０１８年７月１日で、指定日付が２０１７年７月２日である場合、３６５日前であるので、指定日付の前後７日間が検索範囲として設定される。
【００７０】
次に、外部情報サーバ３の記憶領域内で、上記のように設定された検索範囲内のニュース情報が検索され、その検索結果がランキング付けしてデータ化される。この場合、外部情報サーバ３内には、後述する情報記憶処理によって、図９に示すように、１日分のニュース情報が、ニュースタグ情報毎に１位から所定順位（例えば５０位）までランキング付けして記憶されている。したがって、指定日付が新しい場合には、外部情報サーバ３内に記憶されている指定日付の１日分のニュース情報がそのまま用いられる。
【００７１】
一方、指定日付が古く、検索範囲が広い場合には、その検索範囲に該当する複数日分のニュース情報のニュースタグ情報毎に、当該ニュースタグ情報に紐付けられたニュース情報が最も多いニュースタグ情報を認識し、これを１位として、これから順にランキング付けして所定順位（例えば５０位）までのニュースタグ情報がデータ化される。
【００７２】
これらニュースタグ情報毎に、例えば、最多のアクセス数のニュース情報、読者からの評価の平均値が最大のニュース情報、又はランダムに選ばれたニュース情報が少なくとも１つずつ抽出される。
【００７３】
なお、以上のように検索した場合において、ランキング１位のニュースタグ情報に関しては、その指定日付を基準とする所定期間内のニュース情報を再検索するように構成してもよい。特に、指定日付が新しいことで、指定日付のみのニュース情報を検索した場合には、指定日付以前の所定期間、又は指定日付以降の所定期間のニュース情報を再検索するように構成してもよい。
【００７４】
そして、以上のようにニュース情報をデータ化した後、これを含む検索情報信号が外部情報サーバ３から日記情報サーバ２に送信される（図６／ＳＴＥＰ３１）。 
【００７５】
この検索情報信号が日記情報サーバ２で受信されると、日記情報サーバ２において、閲覧情報作成処理が実行される（図６／ＳＴＥＰ３２）。
【００７６】
この閲覧情報作成処理では、検索情報信号に含まれるニュース情報のデータと、指定日付の日記情報のデータとを含む信号として、閲覧情報信号が作成される。そして、この閲覧情報信号が日記情報サーバ２から閲覧端末５に送信される（図６／ＳＴＥＰ３３）。
【００７７】
この閲覧情報信号が閲覧端末５で受信されると、閲覧端末５において、情報閲覧処理が実行される（図６／ＳＴＥＰ３４）。この情報閲覧処理では、図１０に示す閲覧画面が閲覧端末５のディスプレイ５０内に表示される。同図に示すように、この閲覧画面には、日付表示欄５１、日記情報表示欄５４、記事表示欄５５及び閲覧終了アイコン５６が表示される。
【００７８】
この日付表示欄５１には、指定日付が表示され、日記情報表示欄５４には、前述した日記選択処理で選択された日記情報が表示される。この日記情報表示欄５４では、閲覧者の入力インターフェースの操作により、日記情報表示欄５４が選択されたときに、日記情報の全文が表示される。
【００７９】
また、記事表示欄５５には、指定日付に応じたニュース情報がランキング付けされた状態で表示されるとともに、閲覧者の入力インターフェースの操作により、１つのニュース情報の欄が選択されると、そのニュース情報の記事の詳細な内容が表示されるように構成されている。以上のように、情報閲覧処理が閲覧端末５で実行されることにより、閲覧者は、指定日付の日記情報及びニュース情報を閲覧することができる。
【００８０】
また、外部情報サーバ３では、以上の通信動作とは無関係に、情報記憶処理が実行される（図６／ＳＴＥＰ４０）。この情報記憶処理は、日記情報サーバ２以外の多数の外部サーバからニュース情報を取得し、それをニュースタグ情報でランキング付けして外部情報サーバ３内の記憶領域に記憶するものであり、毎日、所定のタイミング（例えばAM00:01）で、例えば以下に述べるように実行される。
【００８１】
具体的には、まず、多数の外部サーバから１日分のニュース情報が取得される。次いで、これらのニュース情報の記事を例えば機械学習アルゴリズムで解析することにより、ニュース情報にそれぞれニュースタグ情報が付される。
【００８２】
また、これらに代えて又は加えて、ニュース情報に含まれる作成者タグ及び読者タグの一方又は両方がニュースタグ情報として用いられてもよい。さらに、ニュース情報の記事に含まれる特徴的な用語がニュースタグ情報として付されてもよい。この場合の特徴的な用語とは、そのニュース情報を典型的に示す用語であり、例えば、特定の品詞（名詞、動詞又は形容詞など）の用語のうち、記事の中で使用頻度が所定頻度以上であり、かつ、いわゆるストップワードではない用語である。また、特徴的な用語としてニュース情報のトピックに含まれる用語が用いられてもよい。
【００８３】
これに加えて、同義語辞書又は類義語辞書を用いて、互いに同義語又は類義語関係にある複数の特徴的な用語（例えば、「午後」「アフタヌーン」「昼過ぎ」）について、同一のニュースタグ情報が付されてもよい。なお、本明細書における「同義語」「類義語」は、１つの言葉に限らず、複数の言葉を組み合わせたものを含む。
【００８４】
そして、ニュースタグ情報を抽出したときに、その抽出結果において、同一のニュースタグ情報を含むニュース情報が複数存在するときには、その抽出数（記載数）が最も多いニュースタグ情報を１位として、これから順にニュースタグ情報のランキング付けが実施される。その後、１位から所定順位（例えば５０位）までのニュースタグ情報が、図９に示すようにデータ化され、その状態で外部情報サーバ３内の記憶領域に記憶される。
【００８５】
なお、ニュースタグ情報のランキング付けを実行する際、上記抽出数に加えて、ウェブサイトにおけるニュース情報へのアクセス数などを加味してランキング付けを実行してもよい。例えば、ニュースタグ情報毎に、当該ニュースタグ情報に紐付けられたニュース情報のアクセス数の合計値に所定の係数をかけた値を記載数に加えてもよい。
【００８６】
以上のように、本実施形態の投稿情報管理装置１によれば、日記情報の閲覧時、閲覧者は、閲覧端末５で日付指定操作を実行した後、閲覧可能な日記情報のいずれかを選択するだけで、日記情報に加えて、ニュース情報を同時に閲覧することができる。このニュース情報は、指定日付を基準として外部情報サーバ３内で検索されるとともに、その検索結果が閲覧端末５に表示されるので、閲覧者は、指定日付に応じたニュース情報を閲覧することができる。それにより、閲覧者は、日記情報を閲覧しながら、投稿者によって日記情報が作成された時期の社会情勢や風俗などを同時に閲覧することができる。その結果、閲覧時に閲覧者に提供される情報量及び種類を増やすことができ、閲覧者の興趣を高めることができる。したがって、閲覧者における日記情報の閲覧意欲を高めることができ、日記情報の閲覧頻度を高めることができる。
【００８７】
また、日記情報は、閲覧権限を紐付けした情報として日記情報サーバ２内に記憶されており、閲覧者が日記情報の閲覧権限を有しているときにのみ、日記情報及びニュース情報が閲覧者に提供されるので、日記情報が無制限に公開状態になるのを回避でき、その秘匿性を確保することができる。
【００８８】
さらに、外部情報サーバ３では、指定日付がより古いほど、外部情報サーバ３に記憶されたニュース情報のうちの指定日付を基準とするより長い期間のニュース情報を検索することにより、ニュース情報が取得されるので、指定日付に対して関連性の高いニュース情報をより確実に取得することができる。
【００８９】
また、この検索時、外部情報サーバ３では、１日分のニュース情報が、同一カテゴリに属する類義語を含む記事のトピックにおいて、記載数が最も多いものを１位として、これから順にランキング付けして所定順位のものまでが記憶されているので、そのようにランキング付したニュース情報を閲覧者に提供することができる。それにより、閲覧者は、投稿者によって日記情報が作成された時期に社会的な関心が高かったニュース情報を順に閲覧することができ、当時の社会情勢や風俗などを把握したり、思い出したりすることができる。
【００９０】
なお、実施形態は、投稿情報作成部として、ノートパソコンタイプの記入端末４を用いた例であるが、本発明の投稿情報作成部はこれに限らず、投稿者による作成操作に伴って投稿情報が作成されるものであればよい。例えば、投稿情報作成部として、タブレットパソコン、スマートフォン及び携帯電話端末などを用いてもよい。
【００９１】
また、日記情報の作成画面を以下のように構成してもよい。すなわち、日記情報の作成画面には、図１１に示すように、まず、場所記入欄７１、春夏秋冬の４つの季節画像アイコン７２及び５つの同行者アイコン７３が表示される。日記情報の作成時には、投稿者の入力インターフェースの操作によって、場所が場所記入欄７１に記入され、季節画像アイコン７２及び同行者アイコン７３が選択されると、それに続けて、図５と同様の文章作成用の画面（図示せず）が表示される。それにより、投稿者は、日記文を作成することができる。この場合、場所記入欄７１に記入された場所、選択された季節画像アイコン７２及び選択された同行者アイコン７３に応じてタグ情報が設定されうる。
【００９２】
また、実施形態は、第１情報記憶部として、日記情報サーバ２を用いた例であるが、本発明の第１情報記憶部はこれに限らず、時刻又は期間が投稿情報に紐付けされた情報を第１情報として記憶するものであればよい。例えば、第１情報記憶部として、クラウドコンピューティングシステムやパソコンなどを用いてもよい。
【００９３】
さらに、実施形態は、第２情報記憶部として、外部情報サーバ３を用いた例であるが、本発明の第２情報記憶部はこれに限らず、第１情報記憶部に記憶された第１情報以外の、時刻又は期間が紐付けされた投稿情報を第２情報として記憶するものであればよい。例えば、第２情報記憶部として、クラウドコンピューティングシステムやパソコンなどを用いてもよい。
【００９４】
一方、実施形態は、第１情報選択部として、スマートフォンタイプの閲覧端末５を用いた例であるが、本発明の第１情報選択部はこれに限らず、第１情報記憶部に記憶された第１情報から、閲覧者による閲覧操作に応じた第１情報を選択するものであればよい。例えば、第１情報選択部として、ノートパソコン、タブレットパソコン及び携帯電話端末などを用いてもよい。
【００９５】
また、実施形態は、第２情報取得部として、外部情報サーバ３を用いた例であるが、本発明の第２情報取得部はこれに限らず、第１情報選択部によって選択された第１情報の時刻又は期間に応じて、第２情報記憶部に記憶された第２情報を検索することにより、第２情報を取得するものであればよい。例えば、第２情報取得部として、クラウドコンピューティングシステムやパソコンなどを用いてもよい。
【００９６】
さらに、実施形態は、情報提供部として、閲覧端末５を用いた例であるが、本発明の情報提供部はこれに限らず、第２情報取得部によって取得された第２情報と、第１情報選択部によって選択された第１情報とを、閲覧者に提供するものであればよい。例えば、情報提供部として、ノートパソコン、タブレットパソコン及び携帯電話端末などを用いてもよい。
【００９７】
また、実施形態は、日付をタグ情報として用いた例であるが、本発明のタグ情報はこれに限らず、様々なデータをタグ情報として用いることが可能である。例えば、時刻又は期間をタグ情報として用いたり、分類（家族、友人、旅行、仕事、経済、社会など）及び地域（国、都道府県、市町村など）などをタグ情報として用いたりしてもよく、これらのいずかと時刻又は期間をタグ情報として用いてもよい。
【００９８】
この場合、例えば、外部情報サーバ３における前述した情報検索処理（図６／ＳＴＥＰ３０）において、指定日付に加えてタグ情報の内容に応じて、ニュース情報を検索してもよい。その際、例えば、日記情報のタグ情報が地域情報（例えば地域名）の場合には、その地域情報に示される地域に関連するニュース情報を検索すればよい。その地域情報に示される地域に関連するニュース情報は、例えば、ニュースタグ情報として地域名、名産名等を指定することで検索しうる。
【００９９】
また、投稿者によって作成された日記文を検索（又は機械学習）した場合において、この日記文に予想又は予想の同義語若しくは類義語が含まれているときには、タグ情報として予想を設定してもよい。
【０１００】
その場合には、情報検索処理（図６／ＳＴＥＰ３０）において、指定日付に応じてニュース情報を検索するとともに、ニュース情報の検索範囲としては、指定日付以降の所定期間のニュース情報を検索するように構成すればよい。このように構成した場合、閲覧者は、投稿者によって投稿情報が作成されたときの投稿者の社会情勢の予想などが、正しかったか否かを判定することができる。その結果、日記情報の閲覧時における興趣を高めることができ、閲覧者の閲覧意欲をさらに高めることができる。
【０１０１】
一方、実施形態は、指定日付を含む検索期間において、図８に示す検索範囲のニュース情報を検索した例であるが、ニュース情報を検索するときの日付は、指定日付を含む必要がなく、指定日付を基準とする所定範囲内の日付であればよい。例えば、指定日付の翌日以降の所定期間や、指定日付の前日以前の所定期間を検索するように構成してもよい。
【０１０２】
また、実施形態は、閲覧者が指定日付の日記情報を閲覧できるように構成した例であるが、閲覧者が任意の時刻又は期間の日記情報の閲覧を希望する場合には、そのような任意の時刻又は期間の日記情報を閲覧できるように構成してもよい。
【０１０３】
その場合は、閲覧する日記情報の時刻又は期間に応じて、ニュース情報を検索すればよく、例えば、ニュース情報の検索範囲を、日記情報の時刻又は期間に対応する範囲に設定してもよい。さらに、閲覧する日記情報の時刻又は期間が古いほど、日記情報の時刻又は期間を基準とするより長い期間のニュース情報を検索するように構成してもよい。
【０１０４】
さらに、実施形態は、第２情報として、ニュース情報を用いた例であるが、本発明の第２情報はこれに限らず、第１情報記憶部に記憶された第１情報以外の、時刻又は期間が紐付けされた投稿情報であればよい。例えば、第２情報として楽曲情報を用いてもよい。
【０１０５】
このように第２情報として楽曲情報を用いる場合には、外部情報サーバ３において、ヒットチャートランキングの１位から所定順位（例えば５０位）までの楽曲情報を日付又は所定期間ごとに記憶するとともに、閲覧端末５において、画面表示された楽曲情報が閲覧者の入力インターフェース操作によって選択されたときに、その楽曲情報に対応する楽曲の再生音、動画及び静止画の少なくとも一つを閲覧者に提供するように構成すればよい。また、日記情報において、友人がタグ情報に含まれている場合には、外部情報サーバ３において、友人に関連する楽曲情報を検索するように構成してもよく、国名がタグ情報に含まれている場合には、外部情報サーバ３において、その国の楽曲情報を検索するように構成してもよい。
【０１０６】
また、第２情報として、所定のネットワーク情報システム上で、所定の時刻以降又は期間以降においてアクセス数又はリンク数が最も多い投稿情報を取得してもよい。例えば、インターネット網上で、所定の時刻以降又は期間以降においてアクセス数又はリンク数が最も多い投稿情報を取得してもよい。
【０１０７】
さらに、インターネット網上の情報の内容を例えば機械学習などによってその種類を分類し、所定の種類（例えば、「政治」「スポーツ」など）となる情報を、第２情報として取得してもよい。この場合、検索期間において所定の時刻以降又は期間以降においてアクセス数又はリンク数が最も多い種類となる情報を、第２情報として取得してもよい。
【０１０８】
一方、実施形態は、投稿情報管理装置１において日本語を使用した例であるが、これに代えて、英語、ドイツ語及びフランス語などの日本語以外の言語を使用してもよく、２つ以上の言語を併用してもよい。
【０１０９】
また、実施形態は、投稿情報管理装置１を、日記情報サーバ２、外部情報サーバ３、記入端末４及び閲覧端末５で構成した例であるが、投稿情報管理装置を、１つの装置がこれらの要素をすべて兼ねるように構成してもよい。例えば、１個のパソコンを投稿情報管理装置として用いてもよい。また、１つのサーバが日記情報サーバ２及び外部情報サーバ３を兼ねるように構成してもよい。さらに、１つの端末が記入端末４及び閲覧端末５を兼ねるように構成してもよい。さらに、日記情報サーバ２及び外部情報サーバ３の各機能を、クラウドサーバ上に分散して配置するように構成してもよい。
【０１１０】
さらに、実施形態は、第１情報として、日記文を用いた例であるが、本発明の第１情報はこれに限らず、画像、動画及び音声を第１情報として用いてもよい。
【０１１１】
一方、実施形態は、記入端末４側で日付をタグ情報として紐付けするように構成した例であるが、これに代えて、記入端末４からの日記情報を日記情報サーバ２で受信したときに、その日記情報に日付をタグ情報として紐付けしてもよい。
【０１１２】
また、実施形態は、閲覧者が日記情報を閲覧する際、ユーザＩＤ及びパスワードを用いて、ログインするように構成した例であるが、閲覧者がログインせずに日記情報を閲覧できるように構成してもよい。
【符号の説明】
【０１１３】
１  投稿情報管理装置
２  日記情報サーバ（第１情報記憶部）
３  外部情報サーバ（第２情報記憶部、第２情報取得部）
４  記入端末（投稿情報作成部）
５  閲覧端末（第１情報選択部、情報提供部）
【図１】
2020024595.tif 000003
【図２】
2020024595.tif 000004
【図３】
2020024595.tif 000005
【図４】
2020024595.tif 000006
【図５】
2020024595.tif 000007
【図６】
2020024595.tif 000008
【図７】
2020024595.tif 000009
【図８】
2020024595.tif 000010
【図９】
2020024595.tif 000011
【図１０】
2020024595.tif 000012
【図１１】
2020024595.tif 000013